(57)【要約】【課題】配線ダクト内に設けられたコンセントを容易且つ有効に利用し得る天板付家具を提供する。【解決手段】本発明に係る天板付家具１は、脚体２に支持されてなり上面を平坦な天板面３ａを有している天板３と、当該天板面３ａの縁部たる反使用端３２に設けられ、上面が天板面３ａと略面一となる閉止姿勢（Ｑ）と、当該閉止姿勢（Ｑ）から動作することにより天板面３ａの下方を外方から視認可能となる開放姿勢（Ｐ）との間で動作可能に構成された蓋体４と、この蓋体４の下面側に設けられ開放姿勢（Ｐ）において外方から視認可能に位置づけられるコンセント５と、閉止姿勢（Ｑ）において蓋体４における天板３の使用端３１側に位置づけられた動作端と天板面３ａとの間の全域に亘って設けられ配線を挿通し得る寸法を有する挿通隙間Ｓとを具備することを特徴とする。【選択図】図１
2018102712.tif 000002
【特許請求の範囲】
【請求項１】
脚体に支持されてなり上面を平坦な天板面を有している天板と、
当該天板面の縁部或いは中間部分に設けられ、上面が前記天板面と略面一となる閉止姿勢と、当該閉止姿勢から動作することにより前記天板面の下方を外方から視認可能となる開放姿勢との間で動作可能に構成された蓋体と、
この蓋体の下面側に設けられ前記開放姿勢において外方から視認可能に位置づけられるコンセントと、
前記閉止姿勢において前記蓋体における前記天板の使用端側に位置づけられた動作端と前記天板面との間の全域に亘って設けられ配線を挿通し得る寸法を有する挿通隙間と、
を具備することを特徴とする天板付家具。
【請求項２】
前記コンセントが電源コンセントであり、
前記挿通隙間が、電源コンセントに接続し得る電源ケーブルが挿通し得る寸法である請求項１記載の天板付家具。
【請求項３】
前記コンセントが、前記開放姿勢で外方へ向けて斜め上方に面する請求項１又は２記載の天板付家具。
【請求項４】
前記蓋体が前記閉止姿勢及び前記開放姿勢との間で回転可能に構成されたものであり、
前記コンセントに差し込む配線の方向が横断面視前記蓋体の回転軸へ向かう方向である請求項１〜３の何れかに記載の天板付家具。
【請求項５】
前記コンセントの下方に、配線を案内し得る配線ダクトが設けられている請求項１〜４の何れかに記載の天板付家具。
【請求項６】
前記蓋体が、天板側に位置づけられた支持ベースと、当該蓋体側に形成された回動基端と、これら支持ベース及び回動基端との間に設けられた中間リンクとを有するものであり、
前記蓋体が、前記閉止姿勢から反使用端側への移動を禁止すべく使用端側へ動作しながら開放姿勢へと動作するものである請求項１〜５の何れかに記載の天板付家具。
【請求項７】
前記コンセントが、前記蓋体の使用端側の端縁よりも離間して取り付けられている請求項１〜６の何れかに記載の天板付家具。
【請求項８】
前記コンセントが、横断面視前記蓋体の回動基端近傍に位置づけられている請求項７記載の天板付家具。
【請求項９】
前記蓋体が、前記天板に対し開閉動作を緩慢にし得るダンパ機構を介して取り付けられている請求項１〜８の何れかに記載の天板付家具。
【発明の詳細な説明】
【技術分野】
【０００１】
本発明は、オフィス等において好適に用いられている天板付家具に関するものである。
【背景技術】
【０００２】
従来、天板の端部や、天板上の何れかの箇所に設けられた開口部分に、天板上で用い得るパーソナルコンピュータ等を好適に使用すべく配線ダクトを設けた天板付家具が知られている。例えば特許文献１には、当該配線ダクトを天板上に開放した開放姿勢及び被覆した被覆姿勢を取り得る蓋体が設けられ、更に当該蓋体を開放姿勢としたときに配線ダクト状に設けられたコンセントが外方に露出することにより、当該コンセントを好適に使用できるように構成されている天板付家具が記載されている。
【先行技術文献】
【特許文献】
【０００３】
【特許文献１】特開２０１２−１８６８８３号公報
【発明の概要】
【発明が解決しようとする課題】
【０００４】
しかしながら、上記特許文献記載の天板付家具では、蓋体を開放姿勢とすればコンセントが外方に露出するものの、当該コンセントが配線ダクトの底部分に固定されているため、使用者は蓋体を開放姿勢とし、しかる後に更にコンセントにおける差し込み部分を探す作業を強いられているのが現状である。
【０００５】
換言すれば、現状の天板付家具では、配線タクトに設けられたコンセントにアクセスするためには、蓋体を開放姿勢とし、更に配線ダクト内のコンセントを探し出すという、煩雑な作業を強いられているというのが現状である。
【０００６】
本発明は、上記のような課題を解消することを目的としており、コンセントを容易且つ有効に利用し得る天板付家具を提供することを目的とするものである。
【課題を解決するための手段】
【０００７】
本発明は、かかる目的を達成するために、次のような手段を講じたものである。
【０００８】
すなわち、本発明に係る天板付家具は、脚体に支持されてなり上面を平坦な天板面を有している天板と、当該天板面の縁部或いは中間部分に設けられ、上面が前記天板面と略面一となる閉止姿勢と、当該閉止姿勢から動作することにより前記天板面の下方を外方から視認可能となる開放姿勢との間で動作可能に構成された蓋体と、この蓋体の下面側に設けられ前記開放姿勢において外方から視認可能に位置づけられるコンセントと、前記閉止姿勢において前記蓋体における前記天板の使用端側に位置づけられた動作端と前記天板面との間の全域に亘って設けられ配線を挿通し得る寸法を有する挿通隙間と、を具備することを特徴とする。
【０００９】
このようなものであれば、使用者は何れの位置からでも容易にコンセントにアクセスできるとともに、コンセントに接続された配線は挿通隙間を通って天板上の何れの位置でも無駄な取り回しを強いられることなくスムーズに配置させることができる。すなわち本発明によれば、コンセントを容易且つ有効に利用し得る天板付家具を提供することができる。
【００１０】
そして、使用者にとって使用し易い挿通隙間を構成するための一例として、コンセントを電源コンセントとし、挿通隙間を、電源コンセントに接続し得る電源ケーブルが挿通し得る寸法としている態様を挙げることができる。
【００１１】
また、使用者のコンセントへのアクセスを好適に行い得るものとするためには、コンセントを、開放姿勢で外方へ向けて斜め上方に面するように構成することが望ましい。
【００１２】
ここで、コンセントへの配線の挿抜動作をより行い易くするためには、蓋体を閉止姿勢及び開放姿勢との間で回転可能に構成したものとし、コンセントに差し込む配線の方向が横断面視蓋体の回転軸へ向かう方向とすることが望ましい。
【００１３】
そしてコンセントへの配線やその他の配線の取り回しを好適に行い得るようにするためには、コンセントの下方に、配線を案内し得る配線ダクトを設ける事が望ましい。
【００１４】
特に、蓋体の動作が周囲へ干渉してしまい、蓋体の開閉動作が滞ってしまうという不具合を有効に回避するためには、蓋体を、天板側に位置づけられた支持ベースと、当該蓋体側に形成された回動基端と、これら支持ベース及び回動基端との間に設けられた中間リンクとを有するものとし当該蓋体を、閉止姿勢から反使用端側への移動を禁止すべく使用端側へ動作しながら開放姿勢へと動作するものとする事が望ましい。
【００１５】
更に、蓋体の開閉動作を小さい操作力で行い得るようにするためには、コンセントを、蓋体の使用端側の端縁よりも離間して取り付けるようにすることが望ましい。
【００１６】
そして、蓋体の開閉動作を更に小さい操作力で行い得るとともに、コンセントへの配線の挿抜が蓋体の動作に干渉しないようにするためには、コンセントを、横断面視前記蓋体の回動基端近傍に位置付けるようにすることが好ましい。
【００１７】
また、蓋体の不意な動作により使用者の配線の取り回し作業を阻害してしまうという不具合を有効に防止するためには、蓋体を、天板に対し開閉動作を緩慢にし得るダンパ機構を介して取り付けたものとすることが好ましい。
【発明の効果】
【００１８】
本発明は、以上説明した構成であるから、配線ダクト内に設けられたコンセントを容易且つ有効に利用し得る天板付家具を提供することができる。
【図面の簡単な説明】
【００１９】
【図１】本発明の一実施形態に係る外観図。
【図２】同実施形態に係る平面図。
【図３】同側面図。
【図４】同実施形態に係る底面側から見た斜視図。
【図５】同実施形態に係る要部の拡大図。
【図６】図２に係るＩ−Ｉ線断面図。
【図７】図６に係る動作説明図。
【図８】同実施形態の変形例に係る外観図。
【発明を実施するための形態】
【００２０】
以下、本発明の一実施形態を、図１〜図７を参照して説明する。
【００２１】
図１に示すように、本実施形態の天板付家具１は、床面から立設する脚体２と、この脚体２の上方に取り付けられた天板３と、この天板３の反使用端３２側に設けられた蓋体４並びに当該蓋体の下方に配置された配線ダクト６と、蓋体４の下面側に固定されているコンセント５とを主体としたものである。
【００２２】
脚体２は、本実施形態では平面視円盤状をなすアジャスタに支持されることにより床面状に安定して載置され得るものであるが勿論、当該アジャスタに代えて床面上を転動し得るキャスタを備えた構成とすることを妨げない。
【００２３】
この脚体２は、天板３の一端側並びに他端側の縁部を支持するための端部脚２１と、天板の反使用端３２側且つ中央部分を支持するための中間脚２２と、天板の一端側並びに他端側を支持する対をなす端部脚２１同士を連結しつつ天板３を支持する端ビーム２３と、この端ビーム２３及び中間脚２２を連結するように底面視Ｌ字状に延びつつ天板を支持する連結ビーム２４とを有している。
【００２４】
ここで本実施形態に係る天板付家具１は、脚体２に支持されてなり上面を平坦な天板面３ａを有している天板３と、当該天板面３ａの縁部たる反使用端３２に設けられ、上面が天板面３ａと略面一となる閉止姿勢（Ｑ）と、当該閉止姿勢（Ｑ）から動作することにより天板面３ａの下方を外方から視認可能となる開放姿勢（Ｐ）との間で動作可能に構成された蓋体４と、この蓋体４の下面側に設けられ開放姿勢（Ｐ）において外方から視認可能に位置づけられるコンセント５と、閉止姿勢（Ｑ）において蓋体４における天板３の使用端３１側に位置づけられた動作端と天板面３ａとの間の全域に亘って設けられ配線を挿通し得る寸法を有する挿通隙間Ｓとを具備することを特徴とする。
【００２５】
天板３は、脚体２に支持されてなり上面が平坦である天板面３ａを形成しているものである。この天板３は、本実施形態では平面視概略Ｌ字状をなす天板本体３０を主体とすることにより使用者が前方並びに側方に位置する天板３を好適に利用することができるように構成されたものである。当該天板３は、内側において使用者側に近接する使用端３１と、この使用端３１に対向する位置にある反使用端３２と、平面視Ｌ字状をなす中間位置において閉止状態にある蓋体４並びに天板本体３０と面一となるように構成されたコーナー部材３３とを有している。そして天板３の使用端３１における中央部分には、使用者の円滑な作業並びに動作を促し得るように平面視部分円形状に形成した湾曲コーナー３４が設けられている。
【００２６】
蓋体４は、当該天板面３ａの縁部に設けられ、上面が天板面３ａと略面一となる閉止姿勢（Ｑ）と、当該閉止姿勢（Ｑ）から動作することにより前記天板面３ａの下方を外方から視認可能となる開放姿勢（Ｐ）との間で回転可能に構成されたものである。この蓋体４は、蓋本体４１と、この蓋本体４１を支持すべく天板３の反使用端３２側に取り付けられた支持ベース４２と、この支持ベース４２に支持されるべく蓋本体４１に設けられた回動基端４４と、これら支持ベース４２並びに回動基端４４に介在することにより蓋本体４１の円滑な動作を促すための中間リンク４３とを有している。本実施形態では、この中間リンク４３を介して蓋本体４１の回動基端４４と支持ベース４２を連結しつつ蓋本体４１を概略回動可能に支持することにより、蓋本体４１の閉止姿勢（Ｑ）から反使用端３２側への移動を禁止すべく使用端３１側へ動作しながら開放姿勢（Ｐ）へと動作させ得るものとなっている。これにより、当該天板付家具１を反使用端３２側が接するように配置したとしても、蓋体４の動作に支障を来すことはない。
【００２７】
そして本実施形態では、蓋本体４１と支持ベース４２との間に、蓋体４の天板３に対する開閉動作を緩慢にし得るダンパ機構Ｄが設けられている。当該ダンパ機構Ｄにより、不意に蓋体４が急な開閉動作をしてしまうことや、開閉時に過大な衝撃音を来してしまうといった不具合が有効に回避されている。
【００２８】
また本実施形態では、閉止姿勢（Ｑ）において蓋体４における天板３の使用端３１側に位置づけられた動作端と天板面３ａとの間の全域に亘って設けられ配線たるコードＣ（図７）を挿通し得る寸法を有する挿通隙間Ｓが設けられている。加えて本実施形態では、この蓋体４の蓋本体４１の動作端に可撓性を有する軟質部材Ｎが設けられている。この軟質部材Ｎは、挿通隙間Ｓへの外部からの埃等の侵入を防止するととともに、挿通隙間Ｓを挿通する配線に干渉しないように適宜変形し得るものとなっている。
【００２９】
コンセント５は、蓋体４の下面側に設けられ開放姿勢（Ｐ）において外方から視認可能に位置づけられるものである。そして上記挿通隙間Ｓは、電源コンセント５に接続し得る電源ケーブルたるケーブルＣが挿通し得る寸法に設定されている。
【００３０】
本実施形態では、コンセント５を電源コンセント５としているが勿論、ＬＡＮケーブル等や電話線といった情報コンセント５に代えた態様や、電源コンセント５並びに情報コンセント５を混在させるような態様としても良い。コンセント５は、蓋体４の下面側に固定されるコンセント本体５１と、プラグＰＵ（図７）を差し込ませるための差込面５２とを有している。このコンセント５を構成する差込面５２は、蓋体４が開放姿勢（Ｐ）にあるときに外方へ向けて斜め上方に面するように構成されている。またコンセント５は、蓋体４の使用端３１側の端縁すなわち軟質部材Ｎが取り付けられている箇所よりも離間して取り付けられている。具体的には、コンセント５は、図６及び図７に示すように、横断面視において蓋体４の回動基端４４近傍に位置づけられる。また差込面５２は、コンセント５に差し込む配線たるプラグＰＵの方向が横断面視蓋体４の回転軸たる回動基端４４へ向かう方向に設定されている。
【００３１】
配線ダクト６は、コンセント５の下方に配線を案内し得るものであり、横断面視概略チャネル状をなすダクト本体６１と、天板本体３０の下側に取り付けられダクト本体６１を懸吊する懸吊部材６２とを有している。
【００３２】
そして本実施形態では、図６及び図７に示すように、蓋体４を開放姿勢（Ｐ）としたときに、コンセント５の差込面５２が斜め上方向を向くことによって使用者にとってプラグＰＵを差し込み易いように構成されている。また本実施形態では、差込面５２に従ってプラグＰＵを差し込むときには、コンセント５の回動基端４４に向かうようにプラグＰＵが差し込まれる。これにより、コンセント５を取り付けられた蓋体４はプラグＰＵが差し込まれる外力によって不要に回動することがなく、プラグＰＵをコンセント本体５１へ容易且つ確実に差し込むことができる。
【００３３】
特に本実施形態では、蓋体４の動作端側に別体である軟質部材Ｎを設けているものの、蓋体４の動作端における長手方向全域に亘って挿通隙間Ｓを設けているので、コンセント５に差し込んだプラグＰＵに連結されるコードＣや、配線ダクト６に案内される各種配線を所要の位置から天板面３ａ上に案内することができる。これにより、本実施形態に係る天板付家具１は、コンセント５を利用するコードＣのみならず、配線ダクト６に案内される各種配線を好適に天板面３ａ上に案内し得るものとなっている。
【００３４】
以下に本実施形態の変形例について図８に示して説明する。本変形例では本実施形態に相当する構成要素に対し同じ符号を付して詳細な説明は省略する。図８では、天板３を平面視矩形状とし、当該天板３の反使用端３２側にのみ上記実施形態同様の蓋体４、コンセント５並びに配線ダクト６を設けた態様を示している。なお、同変形例では天板３が幅方向に直線状をなす平面視矩形状としているので、使用端３１側に湾曲コーナーは形成されていない。
【００３５】
本変形例においても上記実施形態同様、コンセント５並びに配線ダクト６を利用した有効の配線と取り回しを行いつつ、隙間を介して所要の位置からコードＣ等の配線を天板面３ａ上に位置づけることができるので、上記実施形態同様の作用効果を奏し得る。
【００３６】
以上のように、本実施形態に係る天板付家具１は天板３と、当該天板面３ａの縁部或いは中間部分に設けられ、上面が天板面３ａと略面一となる閉止姿勢（Ｑ）と、当該閉止姿勢（Ｑ）から動作することにより天板面３ａの下方を外方から視認可能となる開放姿勢（Ｐ）との間で動作可能に構成された蓋体４と、この蓋体４の下面側に設けられ開放姿勢（Ｐ）において外方から視認可能に位置づけられるコンセント５と、前記閉止姿勢（Ｑ）において前記蓋体４における天板３の使用端３１側に位置づけられた動作端と天板面３ａとの間の全域に亘って設けられ配線を挿通し得る寸法を有する挿通隙間Ｓとを具備することを特徴とする。
【００３７】
斯かる構成により、使用者は何れの位置からでも容易にコンセント５にアクセスできるとともに、コンセント５に接続された配線は挿通隙間Ｓを通って天板３上の何れの位置でも無駄な取り回しを強いられることなくスムーズに配置させることができる。すなわち本実施形態によれば、コンセント５を容易且つ有効に利用し得る天板付家具１を提供せしめている。
【００３８】
そして、使用者にとって使用し易い挿通隙間Ｓを構成するために本実施形態では、コンセント５を電源コンセント５とし、挿通隙間Ｓを、電源コンセント５に接続し得る電源ケーブルが挿通し得る寸法としている態様としている。
【００３９】
また、使用者のコンセント５へのアクセスを好適に行い得るものとするために本実施形態では、コンセント５を、開放姿勢（Ｐ）で外方へ向けて斜め上方に面するように構成している。
【００４０】
コンセント５への配線の挿抜動作をより行い易くするために本実施形態では、蓋体４を閉止姿勢（Ｑ）及び開放姿勢（Ｐ）との間で回転可能に構成したものとし、コンセント５に差し込む配線すなわちプラグＰＵやコードＣの方向が横断面視蓋体４の回転軸たる回動基端４４へ向かう方向としている。
【００４１】
そしてコンセント５への配線やその他の配線の取り回しを好適に行い得るようにするために本実施形態では、コンセント５の下方に、配線を案内し得る配線ダクト６を設ける態様としている。
【００４２】
特に、蓋体４の動作が周囲へ干渉してしまい、蓋体４の開閉動作が滞ってしまうという不具合を有効に回避するために本実施形態では、蓋体４を、天板３側に位置づけられた支持ベース４２と、当該蓋体４側に形成された回動基端４４と、これら支持ベース４２及び回動基端４４との間に設けられた中間リンク４３とを有するものとし当該蓋体４を、閉止姿勢（Ｑ）から反使用端３２側への移動を禁止すべく使用端３１側へ動作しながら開放姿勢（Ｐ）へと動作するものとしている。
【００４３】
更に、蓋体４の開閉動作を小さい操作力で行い得るようにするために本実施形態では、コンセント５を、蓋体４の使用端３１側の端縁よりも離間して回動基端４４寄りに取り付けるようにしている。
【００４４】
そして、蓋体４の開閉動作を更に小さい操作力で行い得るとともに、コンセント５への配線の挿抜が蓋体４の動作に干渉しないようにするために本実施形態では、コンセント５を、横断面視前記蓋体４の回動基端４４近傍に位置付けるようにしている。
【００４５】
特に本実施形態では、コンセント５が蓋体４の回動基端４４近傍という、所謂奥まった位置にあることで、配線たるコードＣを曲げやすくできると共に、コードＣが極端に折り曲げられることに起因する断線等の不具合を有効に回避することができる。
【００４６】
また、蓋体４の不意な動作により使用者の配線の取り回し作業を阻害してしまうという不具合を有効に防止するために本実施形態では、蓋体４を、天板３に対し開閉動作を緩慢にし得るダンパ機構Ｄを介して取り付けたものとしている。
【００４７】
以上、本発明の一実施形態について説明したが、各部の具体的な構成は、上述した実施形態のみに限定されるものではなく、本発明の趣旨を逸脱しない範囲で種々変形が可能である。
【００４８】
例えば上記実施形態では長手方向において端部脚と端部脚との間に二箇所に中間脚を配した天板付家具を開示したが、上記実施形態に係る天板付家具は、脚体の形状や天板３の平面視形状を限定するものではない。特に上記実施形態に係る天板付家具は、導入しようとするオフィスの規模に応じて天板の形状や脚体を構成する部品数を調整し、当該天板の平面視形状に応じて端ビーム、配線ダクト、連結ビームや天板を構成する天板構成要素の数を適宜調整することにより任意の大きさに設定することができる。
【００４９】
また、脚体、配線ダクト、コンセントの具体的な形状や仕様といったその他の詳細な構成も、本発明の趣旨を逸脱しない範囲で種々変形が可能である。
【符号の説明】
【００５０】
１・・・天板付家具
２・・・脚体
３・・・天板
３ａ・・・天板面
４・・・蓋体
５・・・コンセント
６・・・配線ダクト
Ｄ・・・ダンパ機構
Ｐ・・・開放姿勢
Ｑ・・・閉止姿勢
Ｓ・・・挿通隙間
【図１】
2018102712.tif 000003
【図２】
2018102712.tif 000004
【図３】
2018102712.tif 000005
【図４】
2018102712.tif 000006
【図５】
2018102712.tif 000007
【図６】
2018102712.tif 000008
【図７】
2018102712.tif 000009
【図８】
2018102712.tif 000010